(57)【要約】【課題】  １％以下の生体分子２１が生体分子インキ組成物２０への均一な分散又は溶解を確認することのできる生体分子インキ組成物の製造方法を提供する。【解決手段】  （１）前記生体分子２１へ蛍光色素２３を結合及び／又は吸着させて、蛍光色素付き生体分子とする結合及び／又は吸着工程、（２）前記蛍光色素付き生体分子をメジウム３０へ分散又は溶解させて、蛍光色素付き生体分子インキ組成物とする分散又は溶解工程、（３）前記蛍光色素付き生体分子インキ組成物の色調の状態が均一であることを確認する目視確認工程、により、１％以下の生体分子２１が前記生体分子インキ組成物２０へ均一な状態で分散又は溶解していることが確認できることを特徴とする。【選択図】  図２
2014005360.tif 000002
【特許請求の範囲】
【請求項１】
生体分子を均一に分散又は溶解させる生体分子インキ組成物の製造方法であって、
（１）前記生体分子へ蛍光色素を結合及び／又は吸着させて、蛍光色素付き生体分子とする結合及び／又は吸着工程、
（２）前記蛍光色素付き生体分子をメジウムへ分散又は溶解させて、蛍光色素付き生体分子インキ組成物とする分散又は溶解工程、
（３）前記蛍光色素付き生体分子インキ組成物の色調の状態が均一であることを確認する目視確認工程、
により、１％以下の生体分子が前記生体分子インキ組成物へ均一な状態で分散又は溶解していることが確認できることを特徴とする生体分子インキ組成物の製造方法。
【請求項２】
生体分子を均一に分散又は溶解させる生体分子インキ組成物の製造方法であって、
（１）インキ希釈溶媒へ前記生体分子を分散又は溶解させて、生体分子希釈液とする第一の分散又は溶解工程、
（２）前記生体分子希釈液へ前記インキ希釈溶媒への易溶性の蛍光色素を分散又は溶解させて、生体分子及び蛍光色素希釈液とする第二の分散又は溶解工程、
（３）前記生体分子及び蛍光色素希釈液を、メジウムへ分散又は溶解させて、蛍光色素及び生体分子インキ組成物とする第三の分散又は溶解工程、
（４）前記生体分子インキ組成物の色調の状態が均一であることを確認する目視確認工程、
により、１％以下の生体分子が前記生体分子インキ組成物へ均一な状態で分散又は溶解していることが確認できることを特徴とする生体分子インキ組成物の製造方法。
【請求項３】
生体分子を均一に分散又は溶解させる生体分子インキ組成物の製造方法であって、
（１）インキ希釈溶媒へ前記生体分子を分散又は溶解させて、生体分子希釈液とする第一の分散又は溶解工程、
（２）前記インキ希釈溶媒へ易溶性の蛍光色素を前記インキ希釈溶媒へ分散又は溶解させて、蛍光色素希釈液とする第二の分散又は溶解工程、
（３）前記生体分子希釈液と前記蛍光色素希釈液とを、メジウムへ分散又は溶解させて、前記生体分子インキ組成物とする第三の分散又は溶解工程、
（４）前記生体分子インキ組成物の色調の状態が均一であることを確認する目視確認工程、
により、１％以下の生体分子が前記生体分子インキ組成物へ均一な状態で分散又は溶解していることが確認できることを特徴とする生体分子インキ組成物の製造方法。
【発明の詳細な説明】
【技術分野】
【０００１】
本発明は、生体分子インキ組成物の製造方法に関し、さらに詳しくは、１％以下の生体分子が生体分子インキ組成物への均一な分散又は溶解を目視で確認することのできる生体分子インキ組成物の製造方法に関するものである。
【０００２】
本明細書において、配合を示す「比」、「部」、「％」などは特に断わらない限り質量基準であり、「／」印は一体的に積層されていることを示す。また、「ＵＶ」は「紫外線」の略語、機能的表現、通称、又は業界用語である。
【背景技術】
【０００３】
（背景技術）生体分子を含有しているインキを用いて、印刷された印刷物である生体分子インキ印刷物に用いる生体分子インキ組成物の製造方法は、生体分子自身の分散又は溶解性が悪く、また、１％以下の生体分子が均一に分散又は溶解したかは、生体分子インキ組成物の各部分からサンプルを採取して、計測機器で分析する必要があった。このために、サンプルの採取や、計測機器での分析に時間と手間がかかり、高コストであるというデメリットがあった。
【０００４】
（従来技術）従来、基材上に施される図柄の一部に、識別情報を付与した少なくとも１種類のＤＮＡを含むインキと、識別情報を付与しない少なくとも１種類の前記ＤＮＡとは異なるＤＮＡを含むインキとを用いて、文字、記号、番号及び模様を印刷又は塗被し、前記文字、記号、番号及び模様は、前記インキ同士が隣接して、重ならないで又は一部重なって印刷又は塗被されたことを特徴とする印刷物が知られている（例えば、特許文献１参照。）。また、一対のプライマー間にハイブリッド形成が可能な蛍光物質とドナー色素と相補的な関係にある塩基配列を含んだ、少なくとも２種類以上のプローブを組み込んで構成されるＤＮＡとし、埋め込まれた特定情報に基づく蛍光発光によって、目的とするＤＮＡ配列が存在するか否かを識別することが可能なＤＮＡ及び該ＤＮＡの利用並びにＤＮＡの異同識別方法が知られている（例えば、特許文献２参照。）。しかしながら、特許文献１、２では生体分子を検出するものであるが、生体分子インキ組成物の製造については、記載も示唆もありません。
【先行技術文献】
【特許文献】
【０００５】
【特許文献１】特開２００４−１５７０２１号公報
【特許文献２】特開２００８−１８７９９１号公報
【発明の概要】
【発明が解決しようとする課題】
【０００６】
そこで、本発明は上記のような問題点を解消するために、本発明者らは鋭意研究を進め、本発明の完成に至ったものである。その目的は、１％以下の生体分子が生体分子インキ組成物への均一な分散又は溶解の状態を確認することのできる生体分子インキ組成物の製造方法を提供することである。
【課題を解決するための手段】
【０００７】
上記の課題を解決するために、本発明の請求項１の発明に係わる生体分子インキ組成物の製造方法は、生体分子を均一に分散又は溶解させる生体分子インキ組成物の製造方法であって、（１）前記生体分子へ蛍光色素を結合及び／又は吸着させて、蛍光色素付き生体分子とする結合及び／又は吸着工程、（２）前記蛍光色素付き生体分子をメジウムへ分散又は溶解させて、蛍光色素付き生体分子インキ組成物とする分散又は溶解工程、（３）前記蛍光色素付き生体分子インキ組成物の色調の状態が均一であることを確認する目視確認工程、により、１％以下の生体分子が前記生体分子インキ組成物へ均一な状態で分散又は溶解していることが確認できることを特徴とする生体分子インキ組成物の製造方法である。請求項２の発明に係わる生体分子インキ組成物の製造方法は、生体分子を均一に分散又は溶解させる生体分子インキ組成物の製造方法であって、（１）インキ希釈溶媒へ前記生体分子を分散又は溶解させて、生体分子希釈液とする第一の分散又は溶解工程、（２）前記生体分子希釈液へ前記インキ希釈溶媒への易溶性の蛍光色素を分散又は溶解させて、生体分子及び蛍光色素希釈液とする第二の分散又は溶解工程、（３）前記生体分子及び蛍光色素希釈液を、メジウムへ分散又は溶解させて、蛍光色素及び生体分子インキ組成物とする第三の分散又は溶解工程、（４）前記生体分子インキ組成物の色調の状態が均一であることを確認する目視確認工程、により、１％以下の生体分子が前記生体分子インキ組成物へ均一な状態で分散又は溶解していることが確認できることを特徴とする生体分子インキ組成物の製造方法である。請求項３の発明に係わる生体分子インキ組成物の製造方法は、生体分子を均一に分散又は溶解させる生体分子インキ組成物の製造方法であって、（１）インキ希釈溶媒へ前記生体分子を分散又は溶解させて、生体分子希釈液とする第一の分散又は溶解工程、（２）前記インキ希釈溶媒へ易溶性の蛍光色素を前記インキ希釈溶媒へ分散又は溶解させて、蛍光色素希釈液とする第二の分散又は溶解工程、（３）前記生体分子希釈液と前記蛍光色素希釈液とを、メジウムへ分散又は溶解させて、前記生体分子インキ組成物とする第三の分散又は溶解工程、（４）前記生体分子インキ組成物の色調の状態が均一であることを確認する目視確認工程、により、１％以下の生体分子が前記生体分子インキ組成物へ均一な状態で分散又は溶解していることが確認できることを特徴とする生体分子インキ組成物の製造方法である。
【発明の効果】
【０００８】
請求項１〜３の本発明によれば、１％以下の生体分子を含有する生体分子インキ組成物でも、生体分子の均一な分散又は溶解の状態を確認でき、また、目視でも確認することができ、サンプルの採取や、計測機器での分析が不要で、低コストで確認できるという効果を奏する。
【図面の簡単な説明】
【０００９】
【図１】本発明の生体分子インキ組成物の製造方法で製造された生体分子インキ組成物を用いて印刷した１実施例を示す生体分子インキ印刷物の断面である。
【図２】本発明の１実施例を示す生体分子インキ組成物の製造方法を説明する工程図である。
【図３】本発明の１実施例を示す生体分子インキ組成物の製造方法を説明する工程図である。
【図４】本発明の１実施例を示す生体分子インキ組成物の製造方法を説明する工程図である。
【発明を実施するための形態】
【００１０】
以下、本発明の実施形態について、図面を参照しながら、詳細に説明する。
【００１１】
（生体分子インキ印刷物）図１は、本発明の生体分子インキ組成物２０の製造方法で製造された生体分子インキ組成物２０を用いて印刷した１例を示す生体分子印刷物１０の断面である。基材１１と、該基材１１の一方の面に目止め層１３、生体分子印刷層１５及び保護層１７をこの順に有するが、目止め層１３及び保護層１７は必要に応じて設ければよい。生体分子印刷層１５には僅かな生体分子２１を含んでいればよく、僅かな生体分子２１でも検出でき、しかも非破壊検査でも行うことができる。本発明の生体分子インキ組成物２０の製造方法で製造された生体分子インキ組成物２０を用いて印刷すれば、生体分子２１の均一な分散又は溶解の状態を確認でき、また、目視でも確認できた生体分子インキ組成物２０であるから、分析が確実にできる。
【００１２】
（第一の生体分子インキ組成物の製造方法）図２に示すように、（１）生体分子２１へ蛍光色素を結合及び／又は吸着させて、蛍光色素付き生体分子とする結合及び／又は吸着工程、（２）前記蛍光色素付き生体分子をメジウム３０へ分散又は溶解させて、蛍光色素付き生体分子インキ組成物とする分散又は溶解工程、（３）前記蛍光色素付き生体分子インキ組成物の色調の状態が均一であることを確認する目視確認工程、により、１％以下の生体分子２１が前記生体分子インキ組成物へ均一な状態で分散又は溶解していることが確認できることを特徴とする生体分子インキ組成物の製造方法である。
【００１３】
（第一工程）第一工程は蛍光色素付き生体分子とする結合及び／又は吸着工程である。まず、生体分子２１へ蛍光色素２３を結合及び／又は吸着させて、蛍光色素２３付き生体分子２１とする。生体分子２１は用いる分子に応じた所望で固有量の蛍光色素２３を結合及び／又は吸着する。結合及び／又は吸着させる方法は有機合成で用いる公知の方法でよく、必要に応じて、加温したり、撹拌したり、還流したりしてもよい。生体分子２１はそのものでも、抽出した抽出液でも、予め希釈した希釈液などを用いてもよい。
【００１４】
（第二工程）第二工程は蛍光色素付き生体分子インキ組成物とする分散又は溶解工程である。第一工程で製造した蛍光色素２３付き生体分子２１をメジウム３０へ分散又は溶解させ、即ち、インキ化された蛍光色素付き生体分子インキ組成物となる。該蛍光色素付き生体分子インキ組成物の色調の状態が、次の第三工程で均一であること確認されれば生体分子インキ組成物２０となるものである。
【００１５】
（インキ化法）インキ化法としては、特に限定はなく、通常の混練分散機、例えば、ロールミル、アトライター、高速インペラー分散機、デスパー、高速ミキサー、コニーダー、タンブラー、ブレンダー、デスパーザー及び超音波分散機などが適用できる。さらに、分散・混練を効率よくするため、加温したり、分散・混練の補助材料として球相当径で０．０５ｍｍφ〜１０ｃｍφの径のスチールボール、スチールビーズ、セラミックビーズ、ガラスビーズを用いても良い。
【００１６】
（第三工程）第三工程は色調を目視で均一であることを確認する工程である。第三工程で製造した蛍光色素付き生体分子インキ組成物の色調の状態が均一であることを目視で確認する。用いる生体分子２１に応じた所望で固有量の蛍光色素２３を結合及び／又は吸着した生体分子２１は、その蛍光色素２３の分散又は溶解の状態を示している色調の状態を目視で確認することで、均一であることが容易に判る。勿論、ＪＩＳ−Ｚ−８７２９に準拠したＬスター、ａスター、ｂスター値などの機器分析や、光線透過率などの機器測定で確認してもよい。また、ブラックライトなどの紫外線照射装置を用いて、紫外線を照射して蛍光発色させた状態で、計測機器で確認したり、目視で確認したり、してもよい。しかしながら、目視による色調の確認が、各部分からサンプルを採取したり、計測機器での分析では時間と手間がかかったりということがないので、短時間にでき、しかも低コストである。
【００１７】
（第二の生体分子インキ組成物の製造方法）図３に示すように、（１）インキ希釈溶媒３９へ前記生体分子２１を分散又は溶解させて、生体分子希釈液とする第一の分散又は溶解工程、（２）前記生体分子希釈液へ前記インキ希釈溶媒３９への易溶性の蛍光色素２５を分散又は溶解させて、生体分子及び蛍光色素希釈液とする第二の分散又は溶解工程、（３）前記生体分子及び蛍光色素希釈液を、メジウム３０へ分散又は溶解させて、蛍光色素及び生体分子インキ組成物とするする第三の分散又は溶解工程、（４）前記生体分子インキ組成物の色調の状態が均一であることを確認する目視確認工程、により、１％以下の生体分子が前記生体分子インキ組成物へ均一な状態で分散又は溶解していることが確認できることを特徴とする生体分子インキ組成物の製造方法である。
【００１８】
（第一工程）第一工程は生体分子希釈液とする第一の分散又は溶解工程である。まず、生体分子２１をインキ希釈溶媒３９へ分散又は溶解させて、生体分子希釈溶媒とする。インキ希釈溶媒３９としてはバインダ３１の良溶媒を用いる。分散又は溶解させる方法は有機合成で用いる公知の方法でよく、必要に応じて、加温したり、撹拌したり、還流したりしてもよい。生体分子２１はそのものでも、抽出した抽出液でも、予め希釈した希釈液などを用いてもよい。生体分子２１をインキ希釈溶媒３９へ分散又は溶解させる量は、１％以下の僅かな量であり、インキ希釈溶媒３９へ速やかに分散又は溶解して均一になる。
【００１９】
（第二工程）第二工程は生体分子及び蛍光色素希釈液とする第二の分散又は溶解工程である。第一工程で製造した生体分子希釈液へ、インキ希釈溶媒３９へ易溶性の蛍光色素２５を溶解させて、生体分子及び蛍光色素希釈液とする。溶解させる方法は有機合成で用いる公知の方法でよく、必要に応じて、加温したり、撹拌したり、還流したりしてもよい。蛍光色素２５はインキ希釈溶媒３９へ易溶性であり、蛍光色素２５は速やかに溶解して均一になる。なお、蛍光色素２５はインキ希釈溶媒３９へ易溶性であり、速やかに溶解するが、一部が分散状態でも均一であればよい。
【００２０】
（第三工程）第三工程は蛍光色素及び生体分子インキ組成物とする第三の分散又は溶解工程である。第二工程で製造した生体分子及び蛍光色素希釈液を、メジウム３０へ分散又は溶解させて、即ち、インキ化された蛍光色素及び生体分子インキ組成物となる。該蛍光色素及び生体分子インキ組成物が、次の第四工程で確認されれば生体分子インキ組成物２０となるものである。インキ化法としては、前記の方法が適用できる。
【００２１】
（第四工程）第四工程は前記生体分子インキ組成物の色調の状態が均一であることを確認する目視確認工程である。第三工程で製造した蛍光色素及び生体分子インキ組成物の色調の状態を目視で均一であることを確認する。生体分子２１及び蛍光色素２３は、メジウム３０へ均一に分散又は溶解しているので、蛍光色素２３の色調を目視で確認することで、生体分子２１が均一であることが容易に判る。勿論、ＪＩＳ−Ｚ−８７２９に準拠したＬスター、ａスター、ｂスター値などの機器分析や、光線透過率などでもよく、ブラックライトなどの紫外線照射装置を用いて、紫外線を照射して蛍光発色させた状態で確認してもよい。しかしながら、目視による確認が、各部分からサンプルを採取や、計測機器で分析に時間と手間がかからず、低コストである。
【００２２】
（第三の生体分子インキ組成物の製造方法）図４に示すように、（１）インキ希釈溶媒へ前記生体分子を分散又は溶解させて、生体分子希釈液とする第一の分散又は溶解工程、（２）前記インキ希釈溶媒へ易溶性の蛍光色素を前記インキ希釈溶媒へ分散又は溶解させて、蛍光色素希釈液とする第二の分散又は溶解工程、（３）前記生体分子希釈液と前記蛍光色素希釈液とを、メジウムへ分散又は溶解させて、前記生体分子インキ組成物とする第三の分散又は溶解工程、（４）前記生体分子インキ組成物の色調の状態が均一であることを確認する目視確認工程、により、１％以下の生体分子が前記生体分子インキ組成物へ均一な状態で分散又は溶解していることが確認できることを特徴とする生体分子インキ組成物の製造方法である。
【００２３】
（第一工程）第一工程は生体分子希釈液とする第一の分散又は溶解工程である。まず、生体分子２１をインキ希釈溶媒３９へ分散又は溶解させて、生体分子希釈溶媒とする。インキ希釈溶媒３９としてはバインダ３１の良溶媒を用いる。分散又は溶解させる方法は有機合成で用いる公知の方法でよく、必要に応じて、加温したり、撹拌したり、還流したりしてもよい。生体分子２１はそのものでも、抽出した抽出液でも、予め希釈した希釈液などを用いてもよい。生体分子２１をインキ希釈溶媒３９へ分散又は溶解させる量は、１％以下の僅かな量であり、インキ希釈溶媒３９へ速やかに分散又は溶解して均一になる。
【００２４】
（第二工程）第二工程は蛍光色素希釈液とする第二の分散又は溶解工程である。別途、蛍光色素２５をインキ希釈溶媒３９へ分散又は溶解させて、蛍光色素希釈溶媒とする。インキ希釈溶媒３９としてはバインダ３１及び蛍光色素２５の良溶媒を用いる。分散又は溶解させる方法は有機合成で用いる公知の方法でよく、必要に応じて、加温したり、撹拌したり、還流したりしてもよい。蛍光色素２５はそのものでも、予め希釈した希釈液などを用いてもよい。蛍光色素２５をインキ希釈溶媒３９へ分散又は溶解させる量も通常僅かな量であり、インキ希釈溶媒３９へ速やかに分散又は溶解して均一になる。なお、蛍光色素２５はインキ希釈溶媒３９及びバインダ３１へ易溶性であり、速やかに溶解するが、一部が分散状態でも均一であればよい。
【００２５】
（第三工程）第三工程は生体分子インキ組成物とする第三の分散又は溶解工程である。第一工程で製造した生体分子希釈液と第二工程で製造した蛍光色素希釈液とを、メジウム３０へ分散又は溶解させ、即ち、インキ化された生体分子インキ組成物となる。インキ化法としては、前記の方法が適用できる。
【００２６】
（第四工程）第四工程は色調の状態が均一であることを確認する目視確認工程である。第三工程で製造した生体分子インキ組成物の色調を目視で均一であることを確認する。生体分子２１及び蛍光色素２３は、予めそれぞれをインキ希釈溶媒３９へ分散又は溶解させた生体分子希釈液と蛍光色素希釈液としてあるので、メジウム３０へも速やかに分散又は溶解して均一となっているので、蛍光色素２３の色調を目視で確認することで、生体分子２１が均一であることが容易に判る。勿論、ＪＩＳ−Ｚ−８７２９に準拠したＬスター、ａスター、ｂスター値などの機器分析や、光線透過率などでもよく、ブラックライトなどの紫外線照射装置を用いて、紫外線を照射して蛍光発色させた状態で確認してもよい。しかしながら、目視による確認が、各部分からサンプルを採取や、計測機器で分析に時間と手間がかからず、低コストである。
【００２７】
（脂質）また、生体分子２１を予め脂質で修飾して脂質修飾生体分子として用いると、溶媒、特に有機溶媒への溶解性が向上して、希釈液としたり、分散又は溶解、特に溶解させる際に、好ましい。
【００２８】
（生体分子）生体分子２１は生体有機分子とも呼称され、生存生物によって作り出される有機分子であり、天然のものでも人工のものでもよく、例えば、細胞、ウィルス、細菌、胞子、微生物、ヌクレオチド、アミノ酸、ポリペプチド、ペプチド、ペプチドフラグメント、レクチン、、タンパク質、ステロイド、核酸、デオキシリボ核酸（ディ・エヌ・エー）、糖、脂肪酸、炭水化物、脂質、薬剤、抗原、抗体、酵素、毒素、有機ポリマーなど、及びこれらの組み合わせ分子が例示できる。個人認証の用途に用いる生体分子としては、生物学的供給源である体液、例えば、血液、血清、唾液、尿、精液、精漿、リンパなどに由来するものが好適である。生体分子印刷層１５の絵柄は、例えば、矩形や丸などの幾何学模様、文字や数字などの文字、イラストや図柄などでもよく、特に限定されるものではない。なお、生体分子２１の体分子インキ組成物２０に占める割合は極めて希薄であり、通常１％以下、好ましくは０．００００１〜０．１％、更に好ましくは０．０００１〜０．０１％と極めて希薄である。
【００２９】
（インキ希釈溶媒）インキ希釈溶媒３９としては、生体分子２１、蛍光色素２３及びバインダ３１を分散又は溶解させる溶媒であり、特に生体分子２１及び蛍光色素２３の分散又は溶解度の高いものが好ましい。例えば、アルコール系、石油系、乾性油などが例示でき、単独又は複数の混合系でもよい。具体的には、ＵＶ  ＤＧレジューサー（Ｔ＆Ｋ  ＴＯＫＡ社製）、ＵＶ  ＢＦレジューサー（ＤＩＣＧ社製）などが例示できる。
【００３０】
（蛍光色素）蛍光色素２３、蛍光色素２５としては、上記の溶媒に易溶なフルオレセイン系蛍光色素、クマリン系蛍光色素、ローダミン系蛍光色素などが好ましい。特に、第一の生体分子インキ組成物の製造方法では、生体分子２１へ結合及び／又は吸着しやすい蛍光色素が特に好ましく、また、第二及び第三の生体分子インキ組成物の製造方法では、インキ希釈溶媒３９、メジウム３０へ分散又は溶解しやすい蛍光色素が特に好ましい。
【００３１】
（検出）生体分子印刷層１５に含まれる生体分子２１は、公知の電気泳動ゲル、又はｃＤＮＡマイクロアレイなどの生体分子２１を検出する装置、アレイ、キット及び方法によって検出でき、生体分子のパターンが同定される。検出された生体分子２１からは、生体分子２１が天然物であれば元の動植物や個人を特定することができる。
【００３２】
（生体分子インキ印刷物）図１に示したように、本発明の生体分子インキ組成物２０の製造方法で製造された生体分子インキ組成物２０を用いて印刷した１例を示す生体分子印刷物１０の断面である。基材１１と、該基材１１の一方の面に目止め層１３、生体分子印刷層１５及び保護層１７をこの順に有するが、目止め層１３及び保護層１７は必要に応じて設ければよい。
【００３３】
（基材）基材１１としては印刷に耐える機械的強度などがあれば特に限定されるものではなく、例えば、プラスチック、紙、金属、ガラスなどの単独又は複合体でもよい。用途に応じて種々の材料が適用でき、例えば、プラスチックであればポリエチレンテレフタレートなどのポリエステル系樹脂、ポリアミド系樹脂、ポリオレフィン系樹脂、（メタ）アクリル系樹脂、セルロース系フィルム、ポリカーボネート系樹脂などが、紙であれば上質紙、コート紙、アート紙、ＮＩＰ紙などが、金属であればアルミニウム、スズなどの、箔、フィルム又はシートのものが適用できる。
【００３４】
基材１１の厚さは、特に限定されるものではないが、通常、１２μｍ〜３ｍｍ程度が適用できるが、５０μｍ〜１ｍｍの範囲内が取扱性の点で好ましい。また、基材１１には必要に応じて、例えば、滑剤、可塑剤、充填剤、帯電防止剤、アンチブロッキング剤等の添加剤を使用してもよい。
【００３５】
（易接着処理）基材１１には、印刷に先立って、コロナ放電処理、プラズマ処理、プライマ（アンカーコート、接着促進剤、易接着剤とも呼ばれる）などの易接着処理を行ってもよい。必要に応じて設けるプライマ層としては、例えば、塩化ビニル酢酸ビニル共重合体などの酢酸ビニル系樹脂、（メタ）アクリル酸系樹脂、ウレタン系樹脂、ポリエステル系樹脂などの熱可塑性樹脂及びこれらの混合物等が使用され、また、例えばポリウレタン系樹脂、ポリエステル系樹脂、シリコーン系樹脂、アクリル系樹脂や、これらの（ジ）（ポリ）イソシアネートの混合物からなる熱硬化性樹脂、反応型樹脂でもよい。
【００３６】
（目止め層）基材１１に設ける目止め層１３の樹脂としては、特に限定されるものではないが、紫外線硬化型樹脂を主成分とするバインダを含むインキ組成物が好ましく、該バインダとしては後述するメジウム３０のバインダ３１と同じでも、異なっていてもよい。目止め層１３は生体分子印刷層１５の絵柄より大きく印刷することで、生体分子印刷層１５中の成分が基材１１へ染み込んだり、印刷後でも、所謂ブリードアウト現象で層の表面へ移行し、これがさらに基材１１へ浸透や移行を防止する。
【００３７】
（目止め層の効果）生体分子印刷層１５中の成分、特に生体分子が減少又は消失してしまうと、生体分子を検出する装置で検出することができなくなる。また、基材１１へ染み込んでしまった生体分子は、基材１１を含めた破壊検査をしないと含有している生体分子が確認できない。さらに、目止め層１３を設けない場合には、染み込み分を補うために生体分子印刷層１５の量を多くする必要があり、生体分子の量を増量したり、インキへの含有量を増加させたり、印刷時にも多色刷りしたりするという欠点がある。また、増量インキを用いると、インキを硬化させるために、紫外線の照射量も増加させねばならないという欠点も併発する。目止め層１３によって、生体分子印刷層１５中の生体分子が基材１１へ染み込まないで、所望の量が確保できていれば、生体分子検出装置での検出の際にも、生体分子印刷層１５を非破壊検査で行え、印刷時の生体分子インキ組成物２０のインキ盛量も少なくすることができる。
【００３８】
基材１１としては紙やポリオレフィン系樹脂を用いた場合には顕著であり、特に紙類を用いると、印刷時に染み込みが多く、生体分子印刷層１５に留まる生体分子が減少してしまう。また、ポリオレフィン系樹脂などの非晶部を多く含む樹脂を用いると、印刷時はよいものの、印刷後に生体分子が所謂ブリードアウト現象で層の表面へ移行し、これがさらに樹脂へ移行して、生体分子印刷層１５に留まる生体分子が減少してしまう。これらを防止するために、目止め層１３を設ける必要があり、移行防止には硬化によって網目状化、高密度化する紫外線硬化型インキを硬化させた樹脂系が染み込み及び移行を防止する点で好ましい。
【００３９】
（メジウム）メジウム３０とは機能性成分を含有しないインキ組成物であって、バインダ３１及び希釈溶媒を少なくとも含むが、メジウム３０の希釈溶媒とインキ希釈溶媒３９とは同じでも、異なっていてもよく、また、単独又は複数の混合系の溶媒でもよい。バインダ３１として紫外線硬化型樹脂を用いた所謂紫外線硬化型インキが好ましく、もちろん開始剤や必要に応じて添加剤を含んでいてもよい。
【００４０】
（紫外線硬化型インキ）好ましい紫外線硬化型樹脂に用いる紫外線硬化型インキの組成物（前駆体ともいう）は紫外線の照射によって重合（硬化ともいう）反応する少なくとも１つの、官能基を有する硬化性成分を含有するもので、該硬化性成分としては、ラジカル重合性不飽和二重結合を有する化合物が適用でき、１官能モノマー、２官能以上の多官能モノマー、官能オリゴマー、官能ポリマーなどがある。また、電離放射線で重合（硬化ともいう）する官能基としては、アクリロイル基、メタクリロイル基、アリル基、またはエポキシ基である。具体的には、ＵＶ  ＮＶＲメジューム（Ｔ＆Ｋ  ＴＯＫＡ社製、商品名）、ＵＶ  ＢＦＳＧメジューム（ＤＩＣＧ社製、商品名）、ダイキュアアビリオＯＰニス（ＤＩＣＧ社製、商品名）などが例示できる。
【００４１】
（生体分子印刷層）生体分子印刷層１５は生体分子２１を含む生体分子インキ組成物２０を用いて印刷する。バインダ３１として紫外線硬化型樹脂を用いた場合には、公知の印刷法で印刷した後に紫外線で硬化すればよい。生体分子印刷層１５の紫外線硬化型インキとしては、目止め層１３に用いる紫外線硬化型インキと同様なものを使用すればよい。
【００４２】
（保護層）保護層１７の樹脂としては、特に限定されるものではないが、紫外線硬化型樹脂を主成分とするバインダを含むインキ組成物が好ましく、該バインダとしてはメジウム３０のバインダ３１と同じでも、異なっていてもよい。紫外線硬化型インキを用いて、公知の印刷法で印刷した後に紫外線で硬化すればよい。保護層１７の紫外線硬化型インキとしては、生体分子印刷層１５に用いる紫外線硬化型インキと同様なものを使用すればよい。
【００４３】
この際に、保護層１７を生体分子印刷層１５を覆って、しかも生体分子印刷層１５の絵柄より大きく印刷することで、生体分子印刷層１５を端部まで覆うことで、製造工程中の擦れ、郵送中やエンドユーザーでの取り扱いなどでも、生体分子インキ印刷物１０の生体分子印刷層１５であるインキ層が擦れたり、削れたり、かきとられたりすることを防止する。その結果、生体分子が減少又は無くなることがなく、生体分子を容易に確実に検出することができる。生体分子の検出によって、生体分子の元の持ち主を特定できるのである。
【００４４】
（印刷法）目止め層１３、生体分子印刷層１５及び保護層１７の印刷法としては、オフセット印刷や、スクリーン印刷などが適用できるが、自由な絵柄が選択でき、安価なオフセット印刷法が好適である。紫外線硬化型インキを用いた場合には、印刷した後に紫外線で硬化すればよい。いずれの場合も、保護層１７は生体分子印刷層１５を覆って生体分子印刷層１５の絵柄より大きく印刷すればよい。また、目止め層１３、生体分子印刷層１５及び保護層１７は透明でも着色でもよいが、保護層１７は目止め層１３及び生体分子印刷層１５を目視で確認できるので、透明が好ましい。
【００４５】
（紫外線）紫外線硬化型インキを硬化させる紫外線装置（ＵＶランプともいう）としては、化学反応用ケミカルランプ、低圧水銀ランプ、高圧水銀ランプ、メタルハライドランプ、ＬＥＤランプ、可視光ハロゲンランプ等が使用される。ＵＶの照射量としては、２００〜６００ｎｍの波長の積算エネルギーが０．０１〜１０Ｊ／ｃｍ2となる程度とすることが好ましい。また、ＵＶの照射雰囲気としては、空気中でもよいし、窒素やアルゴン等の不活性ガス雰囲気下でもよい。紫外線硬化型インキの印刷後の照射量は、組成物の材質や量に応じて波長を選択し、ＵＶランプの出力と、加工速度に応じて照射すれば良い。
【産業上の利用可能性】
【００４６】
本発明の生体分子インキ組成物の製造方法で得られた生体分子インキ組成物を用いた生体分子インキ印刷物１０の用途としては、生物医学分析や、環境科学、獣医学、薬学検索、食品及び水の品質管理、個人認証などの分野が考えられる。
【符号の説明】
【００４７】
１０：生体分子インキ印刷物
１１：基材
１３：目止め層
１５：生体分子印刷層
１７：保護層
２０：生体分子インキ組成物
２１：生体分子
２３、２５：蛍光色素
３０：メジウム
３１：バインダ
３９：インキ希釈溶媒
【図１】
2014005360.tif 000003
【図２】
2014005360.tif 000004
【図３】
2014005360.tif 000005
【図４】
2014005360.tif 000006